(57)【要約】【課題】本発明は、上記事情に鑑み、素子ホルダをより一層小型にすることができる撮影モジュール、およびその撮影モジュールの組立方法を提供することを目的とする。【解決手段】素子ホルダ１１に第１のネジＳＣ１を内周面に周回方向に断続的に形成する。レンズホルダ１１の対物側開口寄り外周面にその第１のネジと螺合する第２のネジを設けるとともに、結像側開口寄りに外周壁面が周回方向に断続的に切り欠かれた切欠部１０Ｋを設ける。レンズホルダ１０を素子ホルダ１１に挿入するときには、レンズホルダ１０の切欠部１０Ｋを周回方向について素子ホルダ１１の第１のネジＳＣ１と重ねてレンズホルダ１０を結像側開口から素子ホルダ１１の保持開口１１１に挿入する。【選択図】        図２
2010237558.tif 000002
【特許請求の範囲】
【請求項１】
対物側開口および結像側開口を有し撮影レンズを保持したレンズホルダと、
前面に前記レンズホルダが入り込んで保持される保持開口を有するとともに背面に撮像素子によって塞がれる素子配置開口を有し該素子配置開口を塞ぐように撮像素子が固定された素子ホルダとを備え、
前記素子ホルダは、内周面に周回方向に断続的に形成された、前記レンズホルダを螺合させる第１のネジを有し、
前記レンズホルダは、前記結像側開口寄りに、外周壁面が周回方向に断続的に切り欠かれた、前記第１のネジとの干渉を避ける切欠部を有するとともに、該切欠部よりも前記対物側開口寄り外周面に前記第１のネジと螺合する第２のネジを有することを特徴とする撮影モジュール。
【請求項２】
請求項１の撮影モジュールを構成する、組立前のレンズホルダと素子ホルダを用意し、
前記レンズホルダの前記切欠部を周回方向について前記素子ホルダの前記第１のネジと重ねて該レンズホルダを該素子ホルダの前記保持開口に、前記結像側開口から挿入し、
前記レンズホルダの前記第２のネジを前記第１のネジに螺合させながら該レンズホルダの光軸方向の位置を調整することにより、該レンズホルダに保持された撮影レンズの、前記素子ホルダに固定された撮像素子に対する光軸方向の位置を調整することを特徴とする撮影モジュールの組立方法。
【発明の詳細な説明】
【技術分野】
【０００１】
本発明は、撮影レンズで被写体を撮像素子に結像させその撮像素子に被写体を表わす画像データを生成させる撮影モジュールおよびその撮影モジュールの組立方法に関する。
【背景技術】
【０００２】
最近の携帯電話機には大抵撮影モジュールが内蔵されている（例えば特許文献１参照）。このような撮影モジュールにおいては、携帯電話機に搭載可能とするために出来うる限りの小型化を図る必要がある。
【０００３】
上記特許文献１には、レンズホルダと素子ホルダという２つの部品を主な構成要素とすることで小型化を実現した撮影モジュールが紹介されている。この特許文献１では、素子ホルダを中空円筒にしてその素子ホルダの一方の側の開口からレンズホルダを挿入すると共にその素子ホルダの他方の側の開口端に撮像素子が搭載された基板を配置する構成にし、更にレンズホルダの外周面と素子ホルダの内周面とにネジを形成してフォーカス調整時にレンズホルダを回転させながら素子ホルダに対して前後させ、レンズホルダ内の撮影レンズの結像位置に撮像素子を位置させた後接着剤でレンズホルダと素子ホルダとを接着固定する構成にして撮影モジュールの小型化を実現している。
【先行技術文献】
【特許文献】
【０００４】
【特許文献１】特開２００６−８０９６１号公報
【発明の概要】
【発明が解決しようとする課題】
【０００５】
ところで、最近では被写体から取り込む光量を増やして像全体を明るくしたり、レンズが捉える被写体の周縁部の分解能を向上させたりすることを目的として、レンズ径を大きくする必要が生じることがある。このような場合に特許文献１の構成をそのまま利用しようとすると、素子ホルダの内周面に設けたネジ山の突端を、レンズ径の大きくなったレンズを保持したレンズホルダの外径にあわせなければならなくなり、ネジ以外の部分を含めた素子ホルダの内径がネジの山谷分の長さだけ大きくなって素子ホルダが大型化する。
【０００６】
本発明は、上記事情に鑑み、素子ホルダをより一層小型にすることができる撮影モジュール、およびその撮影モジュールの組立方法を提供することを目的とする。
【課題を解決するための手段】
【０００７】
上記目的を達成する本発明の撮影モジュールは、
対物側開口および結像側開口を有し撮影レンズを保持したレンズホルダと、
前面に前記レンズホルダが入り込んで保持される保持開口を有するとともに背面に撮像素子によって塞がれる素子配置開口を有しその素子配置開口を塞ぐように撮像素子が固定された素子ホルダとを備え、
上記素子ホルダは、内周面に周回方向に断続的に形成された、上記レンズホルダを螺合させる第１のネジを有し、
上記レンズホルダは、上記結像側開口寄りに、外周壁面が周回方向に断続的に切り欠かれた、上記第１のネジとの干渉を避ける切欠部を有するとともに、その切欠部よりも上記対物側開口寄り外周面に上記第１のネジと螺合する第２のネジを有することを特徴とする。
【０００８】
上記本発明の撮影モジュールによれば、上記レンズホルダの上記切欠部が周回方向について上記素子ホルダの上記第１のネジと重ねられた姿勢でレンズホルダが素子ホルダの上記保持開口に結像側開口側から挿入される。このためレンズホルダの外径を、ネジの山谷分を無視して素子ホルダの内径にほぼあわせることができるようになる。
【０００９】
このことは、つまり、レンズ径は同じままとし、上述したのとは逆に素子ホルダの内径をレンズホルダの外径にほぼあわせて小型化しても、断続的に形成された上記第１のネジにあわせて上記切欠部を何箇所か設ければ、レンズホルダを装入する際にはその切欠部を上記第１のネジと重ねた姿勢で素子ホルダに挿入することでレンズホルダを容易に素子ホルダに装入することができる。
【００１０】
上記目的を達成する本発明の撮影モジュールの組立方法は、
上記本発明の撮影モジュールを構成する、組立前のレンズホルダと素子ホルダを用意し、
上記レンズホルダの上記切欠部を周回方向について上記素子ホルダの上記第１のネジと重ねてそのレンズホルダをその素子ホルダの上記保持開口に、上記結像側開口側から挿入し、
上記レンズホルダの上記第２のネジを上記第１のネジに螺合させながらそのレンズホルダの光軸方向の位置を調整することにより、そのレンズホルダに保持された撮影レンズの、上記素子ホルダに固定された撮像素子に対する光軸方向の位置を調整することを特徴とする。
【００１１】
上記本発明の撮影モジュールの組立方法によれば、上記レンズホルダの上記切欠部を周回方向について上記素子ホルダの上記第１のネジと重ねてそのレンズホルダをその素子ホルダの上記保持開口に上記結像側開口側から挿入することで、レンズを保持したレンズホルダをレンズホルダの外径にほぼあわせた内径の素子ホルダに滑らかに挿入することができる。
【発明の効果】
【００１２】
本発明によれば、素子ホルダをより一層小型にすることができる撮影モジュール、およびその撮影モジュールの組立方法が実現する。
【図面の簡単な説明】
【００１３】
【図１】本発明が適用された撮影モジュールの構成を示す斜視図である。
【図２】本発明が適用された撮影モジュールの構成を示す分解図である。
【図３】本発明が適用された撮影モジュールの構成を示す断面図である。
【図４】本発明が適用された撮影モジュールの構成を示す、別の角度から見た断面図である。
【発明を実施するための形態】
【００１４】
以下、図面を参照して本発明の実施の形態を説明する。
【００１５】
図１〜図４は、本発明が適用された撮影モジュールの構成を示す図である。
【００１６】
図１には、組み立られた後の撮影モジュール１の斜視図が示されており、図２には、図１の撮影モジュール１を分解し分解した各構成要素を斜め上方から見た図が示されている。また図３には、図２の撮影モジュール１の切欠部を横切る角度で切断し切断した面を側方から見た断面図が示されている。図４には、図２の撮影モジュール１の切り欠かれていないところを横切る角度で切断し切断した面を側方から見た断面図が示されている。
【００１７】
図１に示す撮影モジュール１には、図２に示す様に、レンズホルダ１０と、素子ホルダ１１と、撮像素子１２と、その撮像素子の対物側の面を覆うカバーガラス１３と、撮像素子が固定された基板１４とが備えられている。
【００１８】
この図２に示すレンズホルダ１０は、図３に示す様に、対物側開口１０Ａおよび結像側開口１０Ｂを有し撮影レンズ１００を保持するものである。本実施形態では、第１レンズ１０１、第２レンズ１０２、第３レンズ１０３、第４レンズ１０４の４枚のレンズで構成された撮影レンズが一例として掲げられている。この図３に示す撮影レンズ１００は、特許文献１と同様に、被写体から取り込む光量を増やして像全体を明るくしたり、レンズが捉える被写体の周縁部の分解能を向上させたりすることを目的として、いままでよりもレンズ径が大きく構成されている。
【００１９】
また図２に示す素子ホルダ１１は、前面にレンズホルダ１０が入り込んで保持される保持開口１１１を有するとともに背面に撮像素子１２によって塞がれる素子配置開口１１２を有する。この素子ホルダ１１には、図２に示す様に、第１のネジＳＣ１が、内周面１１Ｓに周回方向に断続的に形成されている。この素子ホルダ１１の内径はレンズホルダ１０の外径にほぼあわされ小型化されている。
【００２０】
一方レンズホルダ１０には、対物側開口寄り外周面にその第１のネジＳＣ１と螺合する第２のネジＳＣ２が形成されている。さらに、このレンズホルダ１０の結像側開口寄りには、外周壁面１０Ｓが周回方向に断続的に切り欠かれた、第１のネジＳＣ１との干渉を避ける切欠部１０Ｋが設けられている。４枚のレンズ１０１〜１０４のうち、最も結像側開口１０Ｂに位置し、最も大きな径を有するレンズ１０４は、外周壁面１０Ｓのうち、切り欠かれていない部分に保持されている。
【００２１】
本実施形態では、素子ホルダ１１の内周面に第１のネジＳＣ１を周回方向に断続的に形成することと、レンズホルダ１０の結像側開口寄りに外周壁面が周回方向に断続的に切り欠かれた切欠部１０Ｋを設けることとで、レンズホルダ１０を素子ホルダ１１に挿入するときに第１のネジＳＣ１の干渉を避けつつ、素子ホルダ１０の内径をレンズホルダ１１の外径にあわせる程度にまで小型化することを可能にしている。
【００２２】
図３にはレンズホルダ１０が素子ホルダ１１に挿入された状態の、切欠部１０Ｋを通る角度での断面が示されており、図４には図３と同じ状態の切り欠かれていない部分を通る角度での断面が示されている。この図４には、素子ホルダ１１の内周にレンズホルダ１０の外周が接した状態が示されている。
【００２３】
すなわち図４に示す様に素子ホルダ１１の内径Φをレンズホルダの外径にほぼあわせる程度にまで素子ホルダを小型化しても、レンズを保持したレンズホルダを、切欠部１０Ｋと、断続的に形成された第１のネジＳＣ１との位置関係を利用してその素子ホルダ１１に巧みに挿入することができる。
【００２４】
レンズホルダ１０の素子ホルダ１１への挿入が終了した後は、レンズホルダ１０の第２のネジＳＣ２を素子ホルダ１０の第１のネジＳＣ１に滑らかに螺合させながらフォーカス調整をきめ細かく行なうことができる。
【００２５】
以上説明した様に、素子ホルダをより一層小型にすることができる撮影モジュールが実現する。
【００２６】
次に図２を参照してこの撮影モジュール１の組立方法を説明する。
【００２７】
図１の撮影モジュール１を組み立てるときには、まず、図２に示すレンズホルダ１０の外周壁面１０Ｓが切り欠かれた切欠部１０Ｋを、周回方向について素子ホルダ１１の第１のネジＳＣ１と重ねて、レンズホルダ１０を素子ホルダ１１の保持開口１１１に、結像側開口１０Ｂ側から挿入する。こうして切欠部を第１のネジＳＣ１と重ねて挿入すると、素子ホルダ１１の第１のネジＳＣ１との干渉が切欠部１０Ｋにより回避されてレンズホルダ１０を滑らかに素子ホルダ１１に挿入することができる。
【００２８】
次に素子配置開口１１２を塞ぐように撮像素子１２を配置しその撮像素子１２が固定された基板１４を素子ホルダ１１に接着固定する。
【００２９】
その後、レンズホルダ１０の前面にある凹部Ｐにレンズホルダ１０を回転させるための治具を挿入して、レンズホルダ１０の第２のネジＳＣ２を素子ホルダ１１の第１のネジＳＣ１に螺合させながらレンズホルダ１０の光軸方向の位置を調整することにより、レンズホルダ１０に保持された撮影レンズ１００の、素子ホルダ１１に固定された撮像素子１２に対する光軸方向の位置を調整する。このときにも切欠部１０Ｋが好適に作用してレンズホルダの滑らかな移動を可能にする。こうして滑らかに移動することを可能にしたレンズホルダを光軸に沿って微妙に前後させながらフォーカス調整を行なう。そしてフォーカス調整が終了した後、接着剤でレンズホルダ１０を素子ホルダ１１に接着固定する。
【００３０】
このようにすると、素子ホルダ１１の内径Φをレンズホルダの外径にあわせる程度にまで小型にしても、レンズホルダ１０を素子ホルダ１１に挿入し、かつフォーカス調整を精密に行なうことが可能となる。
【００３１】
以上説明した様に本発明によれば、素子ホルダをより一層小型にすることができる撮影モジュールの組立方法が実現する。
【符号の説明】
【００３２】
１  撮影モジュール
１０    レンズホルダ
１０Ｋ    切欠部
１１      素子ホルダ
１２    撮像素子
１３    カバーガラス
１４    基板
ＳＣ１    第１のネジ
ＳＣ２    第２のネジ  
【図１】
2010237558.tif 000003
【図２】
2010237558.tif 000004
【図３】
2010237558.tif 000005
【図４】
2010237558.tif 000006